(57)【特許請求の範囲】
【請求項１】
走行機体に、畝面を被覆するマルチフィルムから突出したたまねぎの葉茎を係止爪の縦回し移動で引き起こす引起装置と、引き起こされた葉茎を係止爪の横回し移動で所定位置に掻き寄せる掻込装置と、前記所定位置の葉茎を切断して葉茎側と鱗茎側とに分離する切断装置と、前記所定位置の葉茎を支持するとともに切断後の前記葉茎側を挾持して排出搬送する葉茎搬送装置と、切断後の前記鱗茎の下方の土壌に切り込んで前記鱗茎の周辺の土を切り崩す土崩し具と、前記マルチフィルムの横一側端が存在する畝際の土に切り込む土切り具を装備してあるたまねぎ収穫機。
【請求項２】
前記マルチフィルムの左右中間部を進行方向に沿って切断するマルチカッタを前記切断装置よりも後方の位置に装備してある請求項１記載のたまねぎ収穫機。
【請求項３】
走行機体に、圃場で栽培されているたまねぎの葉茎を係止爪の縦回し移動で引き起こす引起装置と、引き起こされた葉茎を係止爪の横回し移動で所定位置に掻き寄せる掻込装置と、掻き寄せられた葉茎を左右一対の無端回動帯により前記所定位置で受け取って後上方向に向けて引き上げ挾持搬送する葉茎搬送装置と、該葉茎搬送装置の下方に搬送方向下手側ほど前記葉茎搬送装置から離間する姿勢で配設され、前記所定位置よりも後方の位置で前記葉茎の挾持を開始するとともに、鱗茎が接当するまでの間では前記葉茎を前記葉茎搬送装置による引き上げを許容しながら後方に向けて挾持搬送し、かつ、前記鱗茎の接当に伴って前記葉茎を前記葉茎搬送装置による引き上げを阻止しながら後方に向けて挾持搬送するように挾持設定された位置揃え搬送装置と、それら両搬送装置で挾持される葉茎の両挾持位置間における前記鱗茎からの所定高さ位置を切断して葉茎側と鱗茎側とに分離する葉切装置とを装備し、
前記所定位置にて前記葉茎搬送装置で支持される葉茎を切断して葉茎側と鱗茎側とに分離する切断装置と、該切断装置による切断後の前記鱗茎の下方の土壌に入り込んで前記鱗茎の周辺の土を切り崩す土崩し具と、マルチフィルムの横一側端が存在する畝際の土に切り込む土切り具を作用状態と非作用状態とに切り換え可能に設け、
前記切断装置と前記土崩し具と前記土切り具とを非作用状態に切り換えて、前記葉茎搬送装置による前記葉茎の引き上げでたまねぎを圃場から引き抜く露地仕様と、前記切断装置と前記土崩し具と前記土切り具とを作用状態に切り換えて、畝面を被覆するマルチフィルムから突出したたまねぎの葉茎を前記切断装置で切断した後、前記鱗茎の周辺の土を前記土崩し具で切り崩すとともにマルチフィルムの横一側端が存在する畝際の土を前記土切り具で切り込むマルチ仕様とに仕様変更可能に構成してあるたまねぎ収穫機。
【請求項４】
前記引起装置を、硬質の係止爪を備えた露地仕様と、弾性変形可能な軟質の係止爪を備えたマルチ仕様とに仕様変更可能に構成してある請求項３記載のたまねぎ収穫機。
【請求項５】
前記マルチフィルムの左右中間部を進行方向に沿って切断するマルチカッタを、前記切断装置よりも後方の位置に、作用状態と非作用状態とに切り換え可能に装備してある請求項３又は４記載のたまねぎ収穫機。
【請求項６】
前記土崩し具を、前記土切り具が切り込んだ畝際部分から前記鱗茎の下方の土壌に入り込むように構成してある請求項１又は３記載のたまねぎ収穫機。
【請求項７】
前記土崩し具を、前記鱗茎の下方の土壌に浅く入り込む第１土崩し具と、該第１土崩し具が切り込んだ土壌部分から前記鱗茎の下方の土壌に深く入り込む第２土崩し具とから構成してある請求項６記載のたまねぎ収穫機。
【請求項８】
前記土崩し具を、前記マルチカッタによる前記マルチフィルムの切断部から土中に突入するように構成してある請求項２又は５記載のたまねぎ収穫機。
【請求項９】
前記マルチカッタと前記土崩し具とを作用姿勢と退避姿勢とに切り換え可能に構成してある請求項８記載のたまねぎ収穫機。
【請求項１０】
前記葉茎搬送装置の搬送始端に配設された左右の回転体の間隔を変更可能に構成してある請求項１〜９のいずれか一つに記載のたまねぎ収穫機。
【請求項１１】
前記土崩し具に、鱗茎を持ち上げるレーキ状の持上げ具を装備してある請求項１〜１０のいずれか一つに記載のたまねぎ収穫機。
【請求項１２】
前記切断装置を位置調節可能に構成してある請求項１〜１１のいずれか一つに記載のたまねぎ収穫機。
【請求項１３】
前記走行機体を歩行型に構成してある請求項１〜１２のいずれか一つに記載のたまねぎ収穫機。
【請求項１４】
前記土崩し具を前後方向に往復駆動するように構成してある請求項１〜１３のいずれか一つに記載のたまねぎ収穫機。
【請求項１５】
前記切断装置をバリカン型に構成するとともに、前記土崩し具の駆動系に前記切断装置を連動連結してある請求項１４記載のたまねぎ収穫機。
【請求項１６】
前記切断装置を、前記位置揃え搬送装置の搬送始端に配設された回転体に連動連結してある請求項３〜５のいずれか一つに記載のたまねぎ収穫機。
【発明の詳細な説明】
【０００１】
【発明の属する技術分野】
本発明は、たまねぎを収穫する際に使用するたまねぎ収穫機に関する。
【０００２】
【従来の技術】
従来、上記のようなたまねぎ収穫機としては、圃場で栽培されているたまねぎの葉茎を引き起こす引起装置、葉茎が引き起こされたたまねぎの鱗茎周辺の土を切りほぐす土ほぐし具、引き起こされた葉茎を挾持して後上方向に引き上げ挾持搬送することによって鱗茎周辺の土が切りほぐされたたまねぎを圃場から引き抜く葉茎挾持搬送装置、引き抜き後のたまねぎを鱗茎との接当で葉茎挾持搬送装置による引き上げを阻止しながら後方に向けて挾持搬送する位置揃え搬送装置、及び、それら両挾持搬送装置で挾持される葉茎の両挾持位置間における鱗茎からの所定高さ位置を切断してたまねぎを葉茎側と鱗茎側とに分離する葉切装置、などを走行機体に装備して、作業走行ごとに圃場で栽培されたたまねぎを回収可能な状態にするように構成されたものがあった。
【０００３】
【発明が解決しようとする課題】
ところで、上記のようなたまねぎ収穫機で収穫されるたまねぎには、その種類あるいは栽培する地域や季節などに応じて、畝立てされた圃場で栽培（いわゆる露地栽培）されるものや、畝立てされるとともに畝面が合成樹脂製のマルチフィルムで直接覆われた圃場で栽培（いわゆるマルチ栽培）されるものがある。
【０００４】
マルチ栽培は、シラスなどの軽い土壌での激しい降雨による土壌浸食や養分流亡を防止するために畝面をマルチフィルムで直接覆うようにしたものであり、土壌保全や養分保持に著しい効果をあげている。その上、土壌の膨軟性の保持や土壌水分の安定に役立つものであり、更に、マルチフィルムに黒色のものを採用すると雑草の発生を抑える効果が得られるものでもある。又、マルチ栽培は、地温を上昇させる効果が大きいことから寒冷地にも普及し、しかも、地温上昇による生育促進効果が得られることから早生栽培にも利用されている。
【０００５】
しかしながら、上記のようなマルチ栽培で栽培されたたまねぎの収穫に前述した従来技術のたまねぎ収穫機を使用すると、引抜き搬送装置が、マルチフィルムから突出する葉茎を挾持してたまねぎを引き抜く際に、マルチフィルムが抵抗となって葉茎がちぎれてたまねぎが圃場に残る不都合や、マルチフィルムが、引抜き搬送装置によるたまねぎの引き抜きに伴って引き上げられることにより、引抜き搬送装置や位置揃え搬送装置などに絡み付いて作業が行えなくなる不都合を招くようになることから、先に、畝際の土で畝面を覆う状態に定着されたマルチフィルムを手作業で剥ぎ取る必要が生じるのであるが、このマルチフィルムの剥ぎ取りを行う際には、マルチフィルムから突出して茂ったたまねぎの葉茎が邪魔になって、マルチフィルムの剥ぎ取りが上手く行えない煩わしいものになっていた。
【０００６】
そのため、軽い土壌で降雨の激しい地域や寒冷地などのようにマルチ栽培のみを行う地域では、マルチフィルムの剥ぎ取りを簡単に行えるようにしながらたまねぎを回収可能な状態にするたまねぎ収穫機の開発が望まれており、又、季節や収穫時期などに応じて露地栽培とマルチ栽培とを行う地域では、露地栽培されたたまねぎとマルチ栽培されたたまねぎの双方を、マルチ栽培ではマルチフィルムの剥ぎ取りを簡単に行えるようにしながら、回収可能な状態にするたまねぎ収穫機の開発が望まれている。
【０００７】
本発明の第１の目的は、マルチフィルムの剥ぎ取りを簡単に行えるようにするとともにマルチ栽培されたたまねぎの回収を容易にするマルチ専用型のたまねぎ収穫機を提供することにあり、又、第２の目的は、露地栽培されたたまねぎの回収とマルチ栽培されたたまねぎの回収とを容易にする汎用型のたまねぎ収穫機を提供することにある。
【０００８】
【課題を解決するための手段】
上記第１目的を達成するため、本発明のうちの請求項１記載の発明では、走行機体に、畝面を被覆するマルチフィルムから突出したたまねぎの葉茎を係止爪の縦回し移動で引き起こす引起装置と、引き起こされた葉茎を係止爪の横回し移動で所定位置に掻き寄せる掻込装置と、前記所定位置の葉茎を切断して葉茎側と鱗茎側とに分離する切断装置と、前記所定位置の葉茎を支持するとともに切断後の前記葉茎側を挾持して排出搬送する葉茎搬送装置と、切断後の前記鱗茎の下方の土壌に切り込んで前記鱗茎の周辺の土を切り崩す土崩し具と、前記マルチフィルムの横一側端が存在する畝際の土に切り込む土切り具を装備した。
【０００９】
〔作用〕
上記請求項１記載の発明によると、このたまねぎ収穫機は、走行機体の進行に伴って、マルチフィルムから突出したたまねぎの葉茎を引起装置で引き起し、引き起した葉茎を掻込装置で所定位置に掻き寄せ、所定位置に掻き寄せた葉茎を葉茎搬送装置で支持し、所定位置で支持された葉茎を切断装置で切断して葉茎搬送装置で挾持される葉茎側と圃場に残る鱗茎側とに分離し、葉茎搬送装置で葉茎側を排出搬送するとともに、土崩し具で鱗茎周辺の土を切り崩すようになる。
【００１０】
その結果、このたまねぎ収穫機の作業走行後は、マルチフィルムから突出した葉茎が所定長さに短く切り揃えられた状態になることから、マルチフィルムの剥ぎ取りを生い茂った葉茎に邪魔されることなく簡単に行えるようになる。又、マルチフィルムの剥ぎ取り後に行う鱗茎側の回収も、鱗茎周辺の土が切り崩されていることによって容易に行えるようになる。しかも、鱗茎周辺の土が切り崩される前の安定状態で圃場に位置するたまねぎの葉茎を切断装置で切断するようにしていることから、切断装置で鱗茎を傷付ける不都合を招くこともない。
【００１１】
そして、走行機体の進行に伴って、畝面を覆う状態にマルチフィルムを定着させている畝際の土に土切り具が切り込むことにより、マルチフィルムの横一側端上に位置する畝際の土を切り崩すことができて、その畝際からマルチフィルムの横一側端を浮かせることや捲り上げることができるようになることから、マルチフィルムの剥ぎ取りをより簡単に行えるようになる。又、畝際に位置して他の部分よりも低くなっているマルチフィルムの横一側端を畝際から浮かせるあるいは捲り上げるようにしていることから、それに起因したマルチフィルムの引起装置や葉茎搬送装置などへの絡み付きを防止できるようになる。
【００１２】
〔効果〕
従って、マルチフィルムの剥ぎ取りを簡単に行えるようにするとともに、マルチ栽培されたたまねぎの回収を容易にすることのできるマルチ専用型のたまねぎ収穫機を提供できるようになった。
又、マルチフィルムの機体側への絡み付きを防止しながらマルチフィルムの剥ぎ取りをより簡単にすることのできるマルチ専用型のたまねぎ収穫機を提供できるようになった。
【００１３】
本発明のうちの請求項２記載の発明では、上記請求項１記載の発明において、前記マルチフィルムの左右中間部を進行方向に沿って切断するマルチカッタを前記切断装置よりも後方の位置に装備した。
【００１４】
〔作用〕
上記請求項２記載の発明によると、走行機体の進行に伴って、マルチカッタがマルチフィルムの左右中間部を切断することから、マルチフィルムの剥ぎ取りをより簡単に行えるようになる。又、マルチカッタによるマルチフィルムの切断は、切断装置による葉茎の切断後つまり引起装置、葉茎搬送装置、及び、切断装置などの通過後に行われることから、マルチフィルムの切断に起因したマルチフィルムの引起装置や葉茎搬送装置などへの絡み付きを防止できるようになる。
【００１５】
〔効果〕
従って、マルチフィルムの機体側への絡み付きを防止しながらマルチフィルムの剥ぎ取りをより簡単にすることのできるマルチ専用型のたまねぎ収穫機を提供できるようになった。
【００１６】
前記第２目的を達成するため、本発明のうちの請求項３記載の発明では、走行機体に、圃場で栽培されているたまねぎの葉茎を係止爪の縦回し移動で引き起こす引起装置と、引き起こされた葉茎を係止爪の横回し移動で所定位置に掻き寄せる掻込装置と、掻き寄せられた葉茎を左右一対の無端回動帯により前記所定位置で受け取って後上方向に向けて引き上げ挾持搬送する葉茎搬送装置と、該葉茎搬送装置の下方に搬送方向下手側ほど前記葉茎搬送装置から離間する姿勢で配設され、前記所定位置よりも後方の位置で前記葉茎の挾持を開始するとともに、鱗茎が接当するまでの間では前記葉茎を前記葉茎搬送装置による引き上げを許容しながら後方に向けて挾持搬送し、かつ、前記鱗茎の接当に伴って前記葉茎
を前記葉茎搬送装置による引き上げを阻止しながら後方に向けて挾持搬送するように挾持設定された位置揃え搬送装置と、それら両搬送装置で挾持される葉茎の両挾持位置間における前記鱗茎からの所定高さ位置を切断して葉茎側と鱗茎側とに分離する葉切装置とを装備し、前記所定位置にて前記葉茎搬送装置で支持される葉茎を切断して葉茎側と鱗茎側とに分離する切断装置と、該切断装置による切断後の前記鱗茎の下方の土壌に入り込んで前記鱗茎の周辺の土を切り崩す土崩し具と、マルチフィルムの横一側端が存在する畝際の土に切り込む土切り具を作用状態と非作用状態とに切り換え可能に設け、前記切断装置と前記土崩し具と前記土切り具とを非作用状態に切り換えて、前記葉茎搬送装置による前記葉茎の引き上げでたまねぎを圃場から引き抜く露地仕様と、前記切断装置と前記土崩し具と前記土切り具とを作用状態に切り換えて、畝面を被覆するマルチフィルムから突出したたまねぎの葉茎を前記切断装置で切断した後、前記鱗茎の周辺の土を前記土崩し具で切り崩すとともにマルチフィルムの横一側端が存在する畝際の土を前記土切り具で切り込むマルチ仕様とに仕様変更可能に構成した。
【００１７】
〔作用〕
上記請求項３記載の発明によると、このたまねぎ収穫機は、切断装置と土崩し具と土切り具とを非作用状態に切り換えた露地仕様では、走行機体の進行に伴って、圃場で栽培されているたまねぎの葉茎を引起装置で引き起し、引き起した葉茎を掻込装置で所定位置に掻き寄せ、所定位置に掻き寄せた葉茎を葉茎搬送装置が受け取って引き上げ挾持搬送することでたまねぎを圃場から引き抜き、引き抜いたたまねぎを位置揃え搬送装置が鱗茎との接当で位置決めし、位置決めしたたまねぎの葉茎における鱗茎からの所定高さ位置を葉切装置で切断し、その切断後は、葉茎側が葉茎搬送装置の引き上げ挾持搬送で搬送終端まで搬送された後に機外に放出されるとともに鱗茎側が畝面上に放出されるようになる。
【００１８】
又、切断装置と土崩し具と土切り具とを作用状態に切り換えたマルチ仕様では、走行機体の進行に伴って、マルチフィルムから突出したたまねぎの葉茎を引起装置で引き起し、引き起した葉茎を掻込装置で所定位置に掻き寄せ、所定位置に掻き寄せた葉茎を葉茎搬送装置で支持し、所定位置で支持された葉茎を切断装置で切断して葉茎搬送装置で挾持される葉茎側と圃場に残る鱗茎側とに分離し、葉茎搬送装置で葉茎側を排出搬送するとともに、土崩し具で鱗茎周辺の土を切り崩し、土切り具でマルチフィルムを定着させている畝際の土を切り込むことにより、マルチフィルムの横一側端上の畝際の土を切り崩すようになる。
【００１９】
その結果、このたまねぎ収穫機の露地仕様での作業走行後は、葉茎が所定長さに短く切り揃えられた鱗茎側が畝面に載置された状態になることから、鱗茎側の回収を容易に行えるようになる。又、マルチ仕様での作業走行後は、マルチフィルムから突出した葉茎が所定長さに短く切り揃えられた状態になることから、マルチフィルムの剥ぎ取りを生い茂った葉茎に邪魔されることなく簡単に行えるようになるとともに、マルチフィルムの剥ぎ取り後に行う鱗茎側の回収も、鱗茎周辺の土が切り崩されていることによって容易に行えるようになる。しかも、鱗茎周辺の土が切り崩される前の安定状態で圃場に位置するたまねぎの葉茎を切断装置で切断するようにしていることから、切断装置で鱗茎を傷付ける不都合を招くこともない。
【００２０】
その上、１台のたまねぎ収穫機露で露地栽培されたたまねぎとマルチ栽培されたたまねぎの回収を容易にすることができるので、地栽培専用のたまねぎ収穫機とマルチ栽培専用のたまねぎ収穫機とを用意する場合に比較してコストの面で有利にすることができるようになる。
【００２１】
そして、土切り具を作用状態と非作用状態とに切り換えることで、マルチ栽培されたたまねぎを収穫する場合にのみ土切り具を作用させることができ、これによって、マルチ栽培されたたまねぎを収穫する場合には、走行機体の進行に伴って、畝面を覆う状態にマルチフィルムを定着させている畝際の土に土切り具が切り込むことにより、マルチフィルムの横一側端上に位置する畝際の土を切り崩すことができて、その畝際からマルチフィルムの横一側端を浮かせることや捲り上げることができるようになることから、マルチフィルムの剥ぎ取りをより簡単に行えるようになる。又、畝際に位置して他の部分よりも低くなっているマルチフィルムの横一側端を畝際から浮かせるあるいは捲り上げるようにしていることから、それに起因したマルチフィルムの引起装置や葉茎搬送装置などへの絡み付きを防止できるようになる。
【００２２】
〔効果〕
従って、マルチ栽培されているたまねぎを収穫する際にはマルチフィルムの機体側への絡み付きを防止しながらマルチフィルムの剥ぎ取りを簡単に行えるとともに、露地栽培されたたまねぎとマルチ栽培されたたまねぎの双方の回収を容易にすることのできるコストの面で有利な汎用型のたまねぎ収穫機を提供できるようになった。
【００２３】
本発明のうちの請求項４記載の発明では、上記請求項３記載の発明において、前記引起装置を、硬質の係止爪を備えた露地仕様と、弾性変形可能な軟質の係止爪を備えたマルチ仕様とに仕様変更可能に構成した。
【００２４】
〔作用〕
一般的に、引起装置の係止爪には硬質のものが採用されているのであるが、マルチフィルムから突出したたまねぎの葉茎を引き起こす係止爪に硬質のものを採用すると、その係止爪がマルチフィルムを突き破ってマルチフィルムが引起装置などに絡み付く不都合を招き易くするようになる。
【００２５】
そこで、上記請求項４記載の発明では、引起装置を、硬質の係止爪を備えた露地仕様と、弾性変形可能な軟質の係止爪を備えたマルチ仕様とに仕様変更可能に構成しているのであり、これによって、露地栽培されているたまねぎを収穫する場合には、引起装置を露地仕様に仕様変更することによって、露地栽培されているたまねぎの葉茎を硬質の係止爪にて好適に引き起すことができるようになる。又、マルチ栽培されているたまねぎを収穫する場合には、引起装置をマルチ仕様に仕様変更することによって、マルチ栽培されているたまねぎの葉茎を軟質の係止爪にてマルチフィルムを傷付けることなく好適に引き起すことができるようになる。その結果、係止爪がマルチフィルムを突き破ることに起因したマルチフィルムの引起装置などへの絡み付きを未然に回避できるようになる。
【００２６】
〔効果〕
従って、マルチ栽培されているたまねぎを収穫する際には係止爪がマルチフィルムを突き破ることに起因したマルチフィルムの引起装置などへの絡み付きを未然に回避できるようにしながら、露地栽培されたたまねぎとマルチ栽培されたたまねぎの双方の回収を容易にすることのできる汎用型のたまねぎ収穫機を提供できるようになった。
【００２７】
本発明のうちの請求項５記載の発明では、上記請求項３又は４記載の発明において、前記マルチフィルムの左右中間部を進行方向に沿って切断するマルチカッタを、前記切断装置よりも後方の位置に、作用状態と非作用状態とに切り換え可能に装備した。
【００２８】
〔作用〕
上記請求項５記載の発明によると、マルチカッタを作用状態と非作用状態とに切り換えることで、マルチ栽培されたたまねぎを収穫する場合にのみマルチカッタを作用させることができ、これによって、マルチ栽培されたたまねぎを収穫する場合には、走行機体の進行に伴って、マルチカッタがマルチフィルムの左右中間部を切断することから、マルチフィルムの剥ぎ取りをより簡単に行えるようになる。又、マルチカッタによるマルチフィルムの切断は、切断装置による葉茎の切断後つまり引起装置、葉茎搬送装置、及び、切断装置などの通過後に行われることから、マルチフィルムの切断に起因したマルチフィルムの引起装置や葉茎搬送装置などへの絡み付きを防止できるようになる。
【００２９】
〔効果〕
従って、マルチ栽培されたたまねぎを収穫する場合には、マルチフィルムの機体側への絡み付きを防止しながらマルチフィルムの剥ぎ取りをより簡単にすることのできる汎用型のたまねぎ収穫機を提供できるようになった。
【００３０】
本発明のうちの請求項６記載の発明では、上記請求項１又は３記載の発明において、前記土崩し具を、前記土切り具が切り込んだ畝際部分から前記鱗茎の下方の土壌に入り込むように構成した。
【００３１】
〔作用〕
前述した請求項１又は３記載の発明においては、土切り具の作用によってマルチフィルムの剥ぎ取りをより簡単にすることができるものの、土崩し具が鱗茎下方の土壌に切り込んで鱗茎周辺の土を切り崩す際には、マルチフィルムが土崩し具に絡み付いて土崩し負荷が大きくなる不都合や好適な土崩しが行えなくなる不都合を招く虞がある。
【００３２】
そこで、上記請求項６記載の発明では、土崩し具に先行して、マルチフィルムの横一側端上に位置する畝際の土を切り崩して、その畝際からマルチフィルムの横一側端を浮かせるあるいは捲り上げる土切り具を有効利用して、土切り具が切り込んでマルチフィルムの横一側端を浮かせるあるいは捲り上げた畝際部分から土崩し具を鱗茎下方の土壌に入り込ませるようにしているのであり、これによって、マルチフィルムの土崩し具への絡み付きを防止することができ、それに起因した土崩し具に対する土崩し負荷の増大による作業効率の低下や土崩し不良の発生などを回避できるようになる。
【００３３】
〔効果〕
従って、土崩し具による鱗茎周辺の土の切り崩しを抵抗少なく好適に行える作業効率や土切り崩し性能に優れたたまねぎ収穫機を提供できるようになった。
【００３４】
本発明のうちの請求項７記載の発明では、上記請求項６記載の発明において、前記土崩し具を、前記鱗茎の下方の土壌に浅く入り込む第１土崩し具と、該第１土崩し具が切り込んだ土壌部分から前記鱗茎の下方の土壌に深く入り込む第２土崩し具とから構成した。
【００３５】
〔作用〕
例えば、単一の土崩し具を鱗茎下方の土壌に深く入り込ませることで鱗茎周辺の土を切り崩すように構成した場合には、鱗茎周辺の土を切り崩す際の全負荷が単一の土崩し具に一挙に掛かるようになることから、土崩し具に掛かる土崩し負荷の増大に起因した作業効率の低下を招く虞がある。
【００３６】
そこで、上記請求項７記載の発明では、鱗茎周辺の土を切り崩す際に土崩し具に掛かる負荷を、第１土崩し具と第２土崩し具とに分散させて極力小さくするようにしているのであり、これによって、土崩し具に掛かる土崩し負荷の増大に起因した作業効率の低下を回避できるようになる。
【００３７】
〔効果〕
従って、土崩し具による鱗茎周辺の土の切り崩しをより抵抗少なく行える作業効率に優れたたまねぎ収穫機を提供できるようになった。
【００３８】
本発明のうちの請求項８記載の発明では、上記請求項２又は５記載の発明において、前記土崩し具を、前記マルチカッタによる前記マルチフィルムの切断部から土中に突入するように構成した。
【００３９】
〔作用〕
前述した請求項２又は５記載の発明においては、マルチカッタの作用によってマルチフィルムの剥ぎ取りをより簡単にすることができるものの、土崩し具が鱗茎下方の土壌に切り込んで鱗茎周辺の土を切り崩す際には、マルチフィルムが土崩し具に絡み付いて土崩し負荷が大きくなる不都合や好適な土崩しが行えなくなる不都合を招く虞がある。
【００４０】
そこで、上記請求項８記載の発明では、土崩し具に先行して、マルチフィルムの左右中間部を進行方向に沿って切断するマルチカッタを有効利用して、マルチカッタによるマルチフィルムの切断部から土崩し具を土中に突入させるようにしているのであり、これによって、マルチフィルムの土崩し具への絡み付きを防止することができ、それに起因した土崩し具に対する土崩し負荷の増大による作業効率の低下や土崩し不良の発生などを回避できるようになる。
【００４１】
〔効果〕
従って、土崩し具による鱗茎周辺の土の切り崩しを抵抗少なく好適に行える作業効率や土切り崩し性能に優れたたまねぎ収穫機を提供できるようになった。
【００４２】
本発明のうちの請求項９記載の発明では、上記請求項８記載の発明において、前記マルチカッタと前記土崩し具とを作用姿勢と退避姿勢とに切り換え可能に構成した。
【００４３】
〔作用〕
上記請求項９記載の発明によると、汎用型のたまねぎ収穫機においては、マルチカッタ及び土崩し具を着脱させる場合に比較して、より簡単かつ迅速にマルチカッタ及び土崩し具を作用させるマルチ仕様とマルチカッタ及び土崩し具を作用させない露地仕様とに仕様変更することができるようになる。
【００４４】
ところで、例えば、１条の畝に４条のたまねぎがマルチ栽培されている圃場に対しては、往復２工程の作業走行を行うことで４条のたまねぎを回収可能な状態にする作業形態を採用することが考えられており、この作業形態では、その畝に対する往路工程の作業走行で進行方向右側２条（畝の右側２条）のたまねぎの葉茎切断処理を行い、その畝に対する復路工程の作業走行で進行方向右側２条（畝の左側２条）の葉茎切断処理とマルチフィルム切断処理と４条の鱗茎周辺の土崩し処理とを行うことによって、往路工程の作業走行でマルチフィルム切断処理や鱗茎周辺の土崩し処理を行った場合に生じる虞のある、復路工程の作業走行でのマルチフィルムの機体側への絡み付きや、往路工程の作業走行での土崩し処理で不安定になったたまねぎに対する復路工程の作業走行での葉茎切断処理による鱗茎の傷付き、などを防止することが考えられている。
【００４５】
そこで、このような作業形態を採用する場合には、上記請求項９記載の発明のようにマルチカッタ及び土崩し具を作用姿勢と退避姿勢とに切り換え可能に構成すると、上記のような作業形態における往路工程から復路工程の作業走行の切り換えに伴って行う必要のあるマルチカッタ及び土崩し具の作用状態への切り換えを簡単かつ迅速に行うことができ、又逆に、復路工程から往路工程の作業走行の切り換えに伴って行う必要のあるマルチカッタ及び土崩し具の非作用状態への切り換えを簡単かつ迅速に行えるようになり、もって、マルチカッタ及び土崩し具を着脱させる場合に比較して作業効率の向上を図れるようになる。
【００４６】
〔効果〕
従って、マルチカッタ及び土崩し具の作用状態と非作用状態の切り換えを、より簡単かつ迅速に行うことができて作業効率の向上を図ることのできるたまねぎ収穫機を提供できるようになった。
【００４７】
本発明のうちの請求項１０記載の発明では、上記請求項１〜９のいずれか一つに記載の発明において、前記葉茎搬送装置の搬送始端に配設された左右の回転体の間隔を変更可能に構成した。
【００４８】
〔作用〕
葉茎搬送装置が所定位置で葉茎を支持する状態としては、所定位置の葉茎を挾持せずに左右から支える状態、所定位置の葉茎を引き上げずに挾持する状態、あるいは、所定位置の葉茎を引き上げ気味に挾持する状態、などの種々の状態があり、それらの状態は、収穫するたまねぎの種類や生育状態あるいは栽培方法などに応じて調節することが望ましい。これは、例えば、露地栽培されているたまねぎを収穫するたまねぎ収穫機の葉茎搬送装置は、たまねぎを圃場から引き抜く引き抜き搬送装置として使用されることから、一般的には所定位置にて葉茎を挾持して引き上げるように設定されているのであるが、この設定をマルチ栽培されているたまねぎを収穫するたまねぎ収穫機の葉茎搬送装置に採用すると、所定位置の葉茎が切断装置にて切断される前のマルチフィルムが鱗茎を介して葉茎の引き上げに抗する状態となっている段階で、既に葉茎が葉茎搬送装置により引き上げられてたまねぎに引き抜き力がかかることに起因した鱗茎の芯抜け（鱗茎から芯部が引き抜かれて商品にならない状態）や、所定位置の葉茎が切断装置にて切断される前の段階で圃場からたまねぎが引き抜かれることに起因した切断装置による鱗茎の傷付け、などの不都合を招く虞があるためである。
【００４９】
そこで、上記請求項１０記載の発明では、葉茎搬送装置の搬送始端に配設された左右の回転体の間隔を変更可能に構成して、葉茎搬送装置が所定位置で葉茎を支持する状態を、収穫するたまねぎの種類や生育状態あるいは栽培方法などに応じて調節できるようにしているのであり、もって、鱗茎の芯抜けや切断装置による鱗茎の傷付けなどの不都合の発生を未然に回避できるようになる。
【００５０】
〔効果〕
従って、たまねぎを商品価値の高い状態で回収可能にすることのできるたまねぎ収穫機を提供できるようになった。
【００５１】
本発明のうちの請求項１１記載の発明では、上記請求項１〜１０記載のいずれか一つに発明において、土崩し具に、鱗茎を持ち上げるレーキ状の持上げ具を装備した。
【００５２】
〔作用〕
上記請求項１１記載の発明によると、鱗茎周辺の土が土崩し具で切り崩されるとともに、鱗茎が持上げ具で持ち上げられてその全体を露出させるようになることから、鱗茎側の回収をより一層容易に行えるようになる。又、マルチ栽培されているたまねぎに対しては、持上げ具による鱗茎の持ち上げや持ち上げ解除に伴ってマルチフィルムが上下動することによって、マルチフィルムから突出していた鱗茎側の葉茎をマルチフィルムの下方に抜け出させることも可能になることから、マルチフィルムの剥ぎ取りをより一層簡単に行えるようになる。
【００５３】
〔効果〕
従って、マルチ栽培されているたまねぎを収穫するものにおいてはマルチフィルムの剥ぎ取りをより一層簡単に行えるようにしながら、露地栽培されたたまねぎやマルチ栽培されたたまねぎの回収をより一層容易にすることのできるたまねぎ収穫機を提供できるようになった。
【００５４】
本発明のうちの請求項１２記載の発明では、上記請求項１〜１１のいずれか一つに記載の発明において、前記切断装置を位置調節可能に構成した。
【００５５】
〔作用〕
たまねぎの出荷形態としては、その種類や栽培方法などによって、鱗茎側の茎葉を短くしてそのまま出荷する（いわゆる青玉出荷）形態と、鱗茎側の茎葉を長くして所定数量のたまねぎを束ねて乾燥させた後に出荷する形態とがあり、切断装置が位置調節不能に装備されていたたまねぎ収穫機においては、鱗茎側の茎葉を回収後に出荷形態に応じた長さに手作業で切り揃えるといった煩わしい作業を行う必要がある。
【００５６】
そこで、上記請求項１２記載の発明では、切断装置を位置調節可能に構成することで、回収前の段階で鱗茎側の茎葉を出荷形態に応じた長さに切り揃えられるようにしているのであり、もって、鱗茎側の茎葉を回収後に出荷形態に応じた長さに手作業で切り揃える手間を省くことができるようになる。
【００５７】
〔効果〕
従って、たまねぎ収穫作業における作業効率の向上や省力化を図ることのできるたまねぎ収穫機を提供できるようになった。
【００５８】
本発明のうちの請求項１３記載の発明では、上記請求項１〜１２のいずれか一つに記載の発明において、前記走行機体を歩行型に構成した。
【００５９】
〔作用〕
上記請求項１３記載の発明によると、走行機体を乗用型に構成する場合に比較して、機体の小型化や軽量化、コストの低減化、及び、操作性の向上、などを図れるようになる。
【００６０】
〔効果〕
従って、小型軽量で安価な操作性に優れたたまねぎ収穫機を提供できるようになった。
【００６１】
本発明のうちの請求項１４記載の発明では、上記請求項１〜１３のいずれか一つに記載の発明において、前記土崩し具を前後方向に往復駆動するように構成した。
【００６２】
〔作用〕
上記請求項１４記載の発明によると、鱗茎周辺の土を土崩し具の駆動で積極的に切り崩すようにしていることから、土崩し作業の高効率化を図れるとともに、より好適な土崩し効果が得られて鱗茎側の回収をより一層容易にすることができるようになる。
【００６３】
〔効果〕
従って、土崩し性能がより優れたたまねぎの回収をより一層容易にすることのできるたまねぎ収穫機を提供できるようになった。
【００６４】
本発明のうちの請求項１５記載の発明では、上記請求項１４記載の発明において、前記切断装置をバリカン型に構成するとともに、前記土崩し具の駆動系に前記切断装置を連動連結した。
【００６５】
〔作用〕
上記請求項１５記載の発明によると、切断装置を円盤カッタなどで構成する場合に比較して切断性能の向上を図れるようになる。又、土崩し具の駆動系を利用して切断装置を駆動させることから、切断装置専用の駆動系を別途設ける場合に比較して、構成の簡素化及び製造コストの低減化を図れるようになる。
【００６６】
〔効果〕
従って、構成の簡素化及び製造コストの低減化を図りながら切断性能の向上を図ることのできるたまねぎ収穫機を提供できるようになった。
【００６７】
本発明のうちの請求項１６記載の発明では、上記請求項３〜５のいずれか一つに記載の発明において、前記切断装置を、前記位置揃え搬送装置の搬送始端に配設された回転体に連動連結した。
【００６８】
〔作用〕
上記請求項１６記載の発明によると、位置揃え搬送装置の駆動力を利用して切断装置を駆動させることから、切断装置専用の駆動系を別途設ける場合に比較して、構成の簡素化及び製造コストの低減化を図れるようになる。
【００６９】
〔効果〕
従って、構成の簡素化及び製造コストの低減化を図ることのできるたまねぎ収穫機を提供できるようになった。
【００７０】
【発明の実施の形態】
〔第１実施形態〕
図１には、畝立てされた圃場で栽培（いわゆる露地栽培）されたたまねぎＺや、畝立てされるとともに畝面が合成樹脂製のマルチフィルム（プラスチックフィルムなど）Ｆで直接覆われた圃場で栽培（いわゆるマルチ栽培）されたたまねぎＺを収穫する際に使用する汎用型のたまねぎ収穫機を露地仕様に仕様変更した全体側面が、図２にはその全体平面が、図３にはその全体正面がそれぞれ示されており、この露地仕様のたまねぎ収穫機は、機体フレーム１の後部に搭載されたエンジン２、エンジン２の左下部に伝動連結されたギヤ式変速装置３、ギヤ式変速装置３からの動力が左右の各軸伝動部４を介して伝達される左右の減速装置５、左右の減速装置５からの動力で駆動される左右の後輪６、右側の後輪６の前方に配備された従動式の前輪７、及び、後方に向けて延出された操縦ハンドル８、などによって４条のたまねぎＺが栽培されている１条の畝を跨いだ状態で畝の長手方向に沿って走行するように構成された歩行型の走行機体Ａに、その跨いだ４条のたまねぎＺの葉茎Ｚａのうちの進行方向右側２条の葉茎Ｚａを係止爪９Ａの縦回し移動で引き起こす引起装置９、引き起こされた葉茎Ｚａを係止爪１０ａの横回し移動で所定位置に掻き寄せる掻込装置１０、所定位置ａの鱗茎Ｚｂの下方の土壌に入り込んで鱗茎Ｚｂの周辺の土を切りほぐす左右一対の土ほぐし具１１、掻き寄せられた葉茎Ｚａを所定位置ａで受け取って後上方向に向けて引き上げ挾持搬送する葉茎搬送装置１２、葉茎Ｚａを所定位置ａよりも後方の位置で挾持して後方に向けて搬送する位置揃え搬送装置１３、それら両搬送装置１２，１３で挾持搬送される葉茎Ｚａの両挾持位置間における鱗茎Ｚｂからの所定高さ位置を切断して葉茎Ｚａ側と鱗茎Ｚｂ側とに分離する葉切装置１４、などを装備することによって、１条の畝に対する往復２工程の各作業走行ごとに、進行方向右側２条のたまねぎＺに対して、葉茎搬送装置１２による葉茎Ｚａの引き上げで圃場から引き抜く引き抜き処理や、その引き抜き処理後に行われる葉切装置１４による葉切り処理などを施して、その畝で栽培された４条のたまねぎＺを回収可能な状態にするようになっている。
【００７１】
ちなみに、左側の軸伝動部４は伸縮自在に構成されており、これによって、トレッドを作業対象の畝幅に応じて変更できるようになっている。又、前輪７は、操縦ハンドル８に支持された操作ハンドル１５の回動操作で上下方向に位置調節可能となるように、機体フレーム１に支持されるとともに操作ハンドル１５に操作軸１６などを介して連係されており、これによって、引起装置９の高さ位置を作業対象の畝高さに応じた高さ位置に変更できるようになっている。
【００７２】
図１〜６に示すように、引起装置９は、たまねぎＺの栽培条間に応じた所定間隔を左右方向に隔てる状態で機体フレーム１に縦向き後傾姿勢で支持された３つの引起ケース９Ｂ、各引起ケース９Ｂの上端部に縦向きに配備された駆動スプロケット９Ｃ、各引起ケース９Ｂの下端部に縦向きに配備された従動スプロケット９Ｄ、それぞれの上下のスプロケット９Ｃ，９Ｄに亘って巻き掛けられた無端チェーン９Ｅ、無端チェーン９Ｅに沿う倒伏姿勢と外方に向けて突出する起立姿勢とに起伏揺動自在に所定ピッチで無端チェーン９Ｅに取り付けられた複数の爪受け具９Ｆ、及び、倒伏した葉茎Ｚａを掬い上げるように各引起ケース９Ｂの下部から前方に向けて延設された分草具９Ｇ、などによって構成されるとともに、各爪受け具９Ｆに係止爪９Ａが着脱自在にビス止めされるようになっている。各従動スプロケット９Ｄは、爪受け具９Ｆとの接当で係止爪９Ａを爪受け具９Ｆとともに起立姿勢に切り換え保持するように形成されている。各引起ケース９Ｂには、従動スプロケット９Ｄにより起立姿勢に切り換えられた係止爪９Ａと爪受け具９Ｆとを、爪受け具９Ｆとの接当で引起ケース９Ｂから前方に向けて突出する状態に維持しながら上方に向けて摺動案内するように形成されている。係止爪９Ａ及び爪受け具９Ｆには、熱硬化性プラスチックなどの硬質材が採用されている。分草具９Ｇは、引起ケース９Ｂに着脱自在に連結されている。又、右端の引起ケース９Ｂに連結される分草具９Ｇには、他の引起ケース９Ｂに連結される分草具９Ｇよりも下方に長く延出する長尺のものが採用されており、これによって、畝肩斜面に沿って倒伏している葉茎Ｚａをも好適に掬い上げることができるようになっている。
【００７３】
図１〜４に示すように、掻込装置１０は、その上端部に横向きに配設された左右の駆動プーリ１０Ａ、その下端部に横向きに配設された左右の従動プーリ１０Ｂ、及び、各上下のプーリ１０Ａ，１０Ｂに亘って巻き掛けられた無端ベルト１０Ｃ、などによって構成されている。各無端ベルト１０Ｃには、外方に向けて突出する複数の係止爪１０ａが所定ピッチで一体形成されたゴムベルトが採用されている。
【００７４】
図１、図３、図５及び図６に示すように、右側の土ほぐし具１１は、進行方向右側の畝際から鱗茎Ｚｂの下方の土壌に入り込んで右端１条分の鱗茎Ｚｂの周辺の土を切りほぐすＬ字状に形成されている。左側の土ほぐし具１１は、畝の左右中央から鱗茎Ｚｂの下方の土壌に入り込んで右端から２列目の鱗茎Ｚｂの周辺の土を切り崩す逆Ｌ字状に形成されている。又、各土ほぐし具１１は、機体フレーム１の左右両側部に横軸芯Ｐ１周りに揺動自在に支持された天秤アーム１７の一端に取り付けられており、ギヤ式変速装置３からの作業用動力によって横軸芯Ｐ１周りで前後方向に往復揺動駆動されるようになっている。この構成から、各土ほぐし具１１によって、１条分の鱗茎Ｚｂの周辺の土を容易かつ円滑に切り崩すことができる上に、鱗茎Ｚｂを好適に掘り起こすことができるようになり、もって、その土ほぐし処理後に行われる葉茎搬送装置１２による引き抜き処理を好適かつ円滑に行えるようになっている。
【００７５】
図１、図２、図４及び図７に示すように、葉茎搬送装置１２は、その搬送始端に配設される回転体として下端部に横向きに配設された左右の駆動プーリ１２Ａ、その上端部に横向きに配備された左右の従動プーリ１２Ｂ、及び、各上下のプーリ１２Ａ，１２Ｂに亘って巻き掛けられた無端回動帯としての無端ベルト１２Ｃ、などによって構成されている。各駆動プーリ１２Ａは、固定フレーム１２Ｄに支点Ｘ周りに左右揺動可能に連結された揺動フレーム１２Ｅの遊端に支持されている。揺動フレーム１２Ｅは、固定具１２Ｆによって所望の揺動姿勢で固定できるようになっている。つまり、葉茎搬送装置１２は、左右の駆動プーリ１２Ａの間隔を変更できるように構成されており、この構成から、収穫対象の圃場で栽培されたたまねぎＺの葉茎Ｚａの太さや搬送量などに応じて左右の駆動プーリ１２Ａの間隔を変更することによって、葉茎搬送装置１２にて所定位置ａの葉茎Ｚａを好適に支持することができるとともに鱗茎Ｚｂの周辺の土が切りほぐされたたまねぎＺを好適に引き上げて圃場から引き抜くことができるようになり、又、左右の駆動プーリ１２Ａの間隔を変更することによって、土ほぐし具１１が鱗茎Ｚｂの周辺の土に作用する時点での葉茎搬送装置１２の葉茎支持状態を、葉茎搬送装置１２が葉茎Ｚａを挾持せずに左右から支える状態、葉茎搬送装置１２が葉茎Ｚａを引き上げずに挾持する状態、あるいは、葉茎搬送装置１２が葉茎Ｚａを引き上げ気味に挾持する状態、などの種々の状態に、収穫するたまねぎＺの種類や生育状態などに応じて調節できるようになっている。
【００７６】
図１、図２、図４、図５、図６及び図８に示すように、位置揃え搬送装置１３は、その搬送始端に配設される回転体として前端部に横向きに配設された左右の駆動プーリ１３Ａ、その後端部に横向きに配備された左右の従動プーリ１３Ｂ、及び、各前後のプーリ１３Ａ，１３Ｂに亘って巻き掛けられた無端ベルト１３Ｃ、などによって構成され、葉茎搬送装置１２の下方に搬送方向下手側ほど葉茎搬送装置１２から離間する姿勢で配設されるとともに、鱗茎Ｚｂが接当するまでの間では葉茎Ｚａを葉茎搬送装置１２による引き上げを許容しながら後方に向けて挾持搬送し、かつ、鱗茎Ｚｂの接当に伴って葉茎Ｚａを葉茎搬送装置１２による引き上げを阻止しながら後方に向けて挾持搬送するように挾持設定されている。
【００７７】
図１、図２、図４〜６及び図８〜１１に示すように、葉切装置１４は、腰折れフレーム１８で支持された円盤カッタ１４Ａによって構成されている。腰折れフレーム１８は、ギヤ式変速装置３からの作業用動力が作業クラッチ１９などを介して伝達されるカウンタ軸２０に上下揺動自在に支持された角パイプ状の第１アーム１８Ａ、及び、第１アーム１８Ａの遊端に上下揺動自在に連結された角パイプ状の第２アーム１８Ｂ、などによって屈伸自在に構成されるとともに、第２アーム１８Ｂの遊端側が、機体フレーム１に装備された摺動案内部２１によって上下摺動自在に支持されている。この構成から、葉切装置１４は、上下方向に位置調節可能になっており、この位置調節によって、鱗茎Ｚｂ側の長さを所望の長さ（例えば、収穫後の鱗茎Ｚｂ側を所定量ずつに束ねて結束する結束作業の行い易い長さなど）に切り揃えられるようになっている。尚、図４及び図９における符号２１Ａは、葉切装置１４を所望の高さ位置に固定するために摺動案内部２１に装備された固定具である。
【００７８】
図１、図２、図４及び図７に示すように、葉茎搬送装置１２における右側の従動プーリ１２Ｂの下方には、その従動プーリ１２Ｂと一体回転する突起付き回転体１２Ｇが装備され、左側の固定フレーム１２Ｄからは、突起付き回転体１２Ｇに沿って右外側方に向かう排出ガイド１２Ｈが延設されており、これによって、葉切装置１４による切断後の葉茎Ｚａ側は機体右側の畝間に投下されるようになっている。
【００７９】
図１、図２、図４及び図８に示すように、位置揃え搬送装置１３の後端には、葉切装置１４による切断後の鱗茎Ｚｂ側を圃場に横倒し姿勢で整列放出する放出機構２２が装備されている。放出機構２２は、位置揃え搬送装置１３による搬送に伴って鱗茎Ｚｂ側を横倒し姿勢に切り換える上下のガイド杆２２Ａ，２２Ｂ、位置揃え搬送装置１３の後方に配設された駆動プーリ２２Ｃ、駆動プーリ２２Ｃの下方に配設された従動プーリ２２Ｄ、それらのプーリ２２Ｃ，２２Ｄに亘って巻き掛けられるとともに下側のガイド杆２２Ｂとの挾持作用で鱗茎Ｚｂ側を圃場に向けて放出搬送する突起付き無端ベルト２２Ｅ、などによって構成されている。
【００８０】
図１〜７及び図９〜１１に示すように、引起装置９は、カウンタ軸２０に伝達された作業用動力が、前後向きの第１軸伝動部２３や左右向きの第２軸伝動部２４などを介して各駆動スプロケット９Ｃに伝達されることで作動するようになっている。葉茎搬送装置１２は、カウンタ軸２０に伝達された作業用動力が、ウォーム式伝動部２５や伝動チェーン２６などを介して左右の駆動プーリ１２Ａに伝達されることで作動するようになっている。ちなみに、葉茎搬送装置１２の左側の駆動プーリ１２Ａは、伝動チェーン２６が腹面掛けされた正転ギヤ２７に伝動連結され、又、葉茎搬送装置１２の右側の駆動プーリ１２Ａは、伝動チェーン２６が背面掛けされた逆転ギヤ２８に伝動連結されており、これによって、左右の無端ベルト１２Ｃが後方に向けて挾持搬送駆動されるようになっている。掻込装置１０は、葉茎搬送装置１２の各従動プーリ１２Ａから取り出された作業用動力が、左右の伝動チェーン２９などを介して左右の駆動プーリ１０Ａに伝達されることで作動するようになっている。位置揃え搬送装置１３は、掻込装置１０の各駆動プーリ１０Ａに伝達される作業用動力が、左右の伝動チェーン３０やベベルギヤ式伝動部３１などを介して左右の駆動プーリ１３Ａに伝達されることで作動するようになっている。放出機構２２は、位置揃え搬送装置１３の左側の従動プーリ１３Ｂから取り出された作業用動力が、ベベルギヤ式伝動部３２などを介して駆動プーリ２２Ｃに伝達されることで作動するようになっている。葉切装置１４は、カウンタ軸２０に伝達された作業用動力が、第１アーム１８Ａに内装された第１伝動チェーン３３、第２アーム１８Ｂに内装された第２伝動チェーン３４、及び、第２伝動チェーン３４に伝動連結されたベベルギヤ式伝動部３５、などを介して円盤カッタ１４Ａに伝達されることで作動するようになっている。左右の土ほぐし具１１は、カウンタ軸２０に伝達された作業用動力が、偏芯カム３６や操作ロッド３７などを介して天秤アーム１７に伝達されることで作動するようになっている。
【００８１】
図１２には、汎用型のたまねぎ収穫機をマルチ仕様に仕様変更した概略全体側面が、図１３にはその概略平面が、図１４には概略正面がそれぞれ示されており、このマルチ仕様のたまねぎ収穫機は、露地仕様のものから、分草具９Ｇ及び左右の土ほぐし具１１を取り外すとともに、所定位置ａにて葉茎搬送装置１２で支持される葉茎Ｚａを切断して葉茎Ｚａ側と鱗茎Ｚｂ側とに分離する切断装置３８や、切断装置３８による切断後の鱗茎Ｚｂの下方の土壌に入り込んで鱗茎Ｚｂの周辺の土を切り崩す土崩し具３９、などを追加装備することによって、１条の畝に対する往復２工程の各作業走行ごとに、進行方向右側２条のたまねぎＺに対して、畝面を被覆するマルチフィルムＦから突出したたまねぎＺの葉茎Ｚａを圃場に鱗茎Ｚｂを残した状態で切断装置３８により切断する葉切り処理や、その葉切り処理後に鱗茎Ｚｂの周辺の土を土崩し具３９で切り崩す土崩し処理などを施して、その畝で栽培された４条のたまねぎＺを回収可能な状態にするようになっている。
【００８２】
図１１、図１２及び図１４に示すように、切断装置３８は、位置揃え搬送装置１３の左右の駆動プーリ１３Ａにスペーサ４０を介して連動連結された左右の円盤カッタ３８Ａによって構成されており、位置揃え搬送装置１３に伝達された作業用動力で作動するようになっている。この構成から、切断装置３８の組付けの容易化や切断装置３８に対する伝動構造の簡素化を図れるようになっている。又、切断装置３８は、長さの異なるスペーサ４０の付け替えによって上下方向に位置調節できるようになっており、これによって、鱗茎Ｚｂ側の長さを所望の長さ（例えば、収穫後の鱗茎Ｚｂ側を所定量ずつに束ねて結束する結束作業の行い易い長さなど）に切り揃えられるようになっている。
【００８３】
尚、前述のように、葉茎搬送装置１２は、左右の駆動プーリ１２Ａの間隔を変更できるようになっており、この構成から、マルチ仕様においては、収穫対象の圃場で栽培されたたまねぎＺの葉茎Ｚａの太さや搬送量などに応じて左右の駆動プーリ１２Ａの間隔を変更することによって、切断装置３８で切断される前の所定位置ａの葉茎Ｚａを葉茎搬送装置１２にて好適に支持することができるとともに、切断後の葉茎Ｚａ側を好適に挾持搬送することができるようになり、又、左右の駆動プーリ１２Ａの間隔を変更することによって、切断装置３８が葉茎Ｚａに作用する時点での葉茎搬送装置１２の葉茎支持状態を、葉茎搬送装置１２が葉茎Ｚａを挾持せずに左右から支える状態、葉茎搬送装置１２が葉茎Ｚａを引き上げずに挾持する状態、あるいは、葉茎搬送装置１２が葉茎Ｚａを引き上げ気味に挾持する状態、などの種々の状態に、収穫するたまねぎＺの種類や生育状態などに応じて調節できるようになっている。
【００８４】
図１３〜１５に示すように、土崩し具３９は、進行方向右側の畝際から鱗茎Ｚｂの下方の土壌に入り込んで右側２条分の鱗茎Ｚｂの周辺の土を切り崩すＬ字状に形成されている。又、この土崩し具３９は、走行機体Ａの右前部に前もって装備された横向きの支軸４１に、その軸芯Ｐ２周りで前後揺動可能な状態に簡単に取り付けられるとともに、ギヤ式変速装置３からの作業用動力によって前後方向に往復揺動駆動されるようになっており、これによって、２条分の鱗茎Ｚｂの周辺の土を容易かつ円滑に切り崩すことができる上に、鱗茎Ｚｂ側を好適に掘り起こすことができるようになり、もって、作業走行終了後に手作業で行われる鱗茎Ｚｂ側の回収を容易に行えるようになっている。
【００８５】
土崩し具３９の前方には、走行機体Ａが跨ぐ畝におけるマルチフィルムＦの横一側端が存在する右側の畝際の土に切り込むことで、作業走行に支障のない程度にマルチフィルムＦの右側端を畝際から浮かせるＬ字状の土切り具４２が配設されるようになっている。この土切り具４２は、右側の土ほぐし具１１が取り外された天秤アーム１７を利用して横軸芯Ｐ１周りに前後揺動駆動可能に取り付けられるようになっており、これによって、土切り具４２に対する専用の支持部材を設けなくても、土切り具４２を容易に前後揺動可能に取り付けられるとともに、土切り具４２に対する専用の駆動系を設けなくても、土ほぐし具１１の駆動系として装備した偏芯カム３６や操作ロッド３７などを介して伝達されるカウンタ軸２０からの作業用動力で、土切り具４２を前後方向に往復揺動駆動することができるようになっている。その結果、土切り具４２の支持構造や土切り具４２に対する伝動構造の簡素化を図りながらも、土切り具４２の前後方向への往復揺動駆動によりマルチフィルムＦの右側端を畝際から好適に浮かせることができて、作業走行終了後に手作業又はマルチ剥ぎ装置で行われるマルチフィルムＦの剥ぎ取りを容易に行えるようになっている。又、土崩し具３９の前方に土切り具４２を配設していることによって、土崩し具３９は、マルチフィルムＦが浮き上がって土切り具４２が切り込んだ畝際部分から鱗茎Ｚｂの下方の土壌に入り込むようになることから、土崩し具３９が、単独でマルチフィルムＦの横一側端が存在する右側の畝際の土に切り込みながら２条分の鱗茎Ｚｂの周辺の土を切り崩す場合に比較して、土崩し具３９などへのマルチフィルムＦの巻き付きを防止できるとともに、２条分の鱗茎Ｚｂの周辺の土を抵抗少なく円滑に切り崩すことができるようになっている。
【００８６】
図１４及び図１５に示すように、土崩し具３９は、土切り具４２が取り付けられた右側の天秤アーム１７に連係ロッド４３を介して連動連結されている。つまり、土崩し具３９をも、土ほぐし具１１の駆動系として装備した偏芯カム３６や操作ロッド３７などを利用して前後方向に往復揺動駆動するようにしていることから、カウンタ軸２０から土崩し具３９に亘る専用の駆動系を新たに設ける場合に比較して、伝動構造の簡素化を図れるようになっている。
【００８７】
図１２〜１４、図１６及び図１７に示すように、引起装置９は、各引起ケース９Ｂから分草具９Ｇが取り外されるとともに、右端以外の引起ケース９Ｂに装備された硬質の各係止爪９Ａが、弾性変形可能なゴムなどの軟質材で硬質の係止爪９Ａと同じ長さに形成された軟質で短尺の係止爪９Ｈに付け替えられ、又、右端の引起ケース９Ｂに装備された硬質の各係止爪９Ａが、弾性変形可能なゴムなどの軟質材で硬質の係止爪９Ａよりも長尺に形成された軟質で長尺の係止爪９Ｊに付け替えられている。これにより、分草具９Ｇや硬質の係止爪９ＡがマルチフィルムＦを突き破るなどの不都合の発生を防止して、その破れに起因したマルチフィルムＦの機体側への絡み付きを阻止できるようにしながらも、各係止爪９Ｈ，９Ｊによって、畝肩などにかかわらず、マルチフィルムＦ上で倒伏した葉茎ＺａをマルチフィルムＦを傷付けることなく好適に掬い上げることができるようになっている。又、軟質の各係止爪９Ｈ，９Ｊは、前述した硬質の爪受け具９Ｆで受け止め支持されていることから、葉茎Ｚａの重みに負けることなく葉茎Ｚａを好適に引き起こすことができるようになっている。
【００８８】
要するに、このたまねぎ収穫機は、取り外しによる分草具９Ｇ及び土ほぐし具１１の非作用状態への切り換えと、取り付けによる切断装置３８、土崩し具３９、及び、土切り具４２の作用状態への切り換えなどを行うことによって、露地仕様からマルチ仕様への仕様変更を行うことができ、又逆に、取り付けによる分草具９Ｇ及び土ほぐし具１１の作用状態への切り換えと、取り外しによる切断装置３８、土崩し具３９、及び、土切り具４２の非作用状態への切り換えなどを行うことによって、マルチ仕様から露地仕様への仕様変更を行えるようになっている。
【００８９】
〔第２実施形態〕
図１８には、畝立てされるとともに畝面が合成樹脂製のマルチフィルムＦ（プラスチックフィルムなど）で直接覆われた圃場で栽培（いわゆるマルチ栽培）されたたまねぎＺを収穫する際に使用するマルチ専用型のたまねぎ収穫機の全体側面が示されており、図１９〜２１にも示すように、このたまねぎ収穫機は、第１実施形態で例示した走行機体Ａと同じ構成の歩行型の走行機体Ａに、その跨いだ畝のマルチフィルムＦから突出した４条の葉茎Ｚａのうちの進行方向右側２条の葉茎Ｚａを係止爪９Ｈ，９Ｊの縦回し移動で引き起こす引起装置９、引き起こされた葉茎Ｚａを係止爪１０ａの横回し移動で所定位置ａに掻き寄せる掻込装置１０、その所定位置ａの葉茎Ｚａを切断して葉茎Ｚａ側と鱗茎Ｚｂ側とに分離する切断装置３８、所定位置ａの葉茎Ｚａを支持するとともに切断後の葉茎Ｚａ側を挾持して排出搬送する葉茎搬送装置１２、及び、切断後の鱗茎Ｚｂの下方の土壌に切り込んで鱗茎Ｚｂの周辺の土を切り崩す土崩し具３９、などを装備して構成されており、１条の畝に対する往復２工程の各作業走行ごとに、進行方向右側２条のたまねぎＺに対して葉切り処理及び土崩し処理を施すことで、その畝で栽培された４条のたまねぎＺを回収可能な状態にするようになっている。
【００９０】
ちなみに、この第２実施形態においても、走行機体Ａは、トレッドを作業対象の畝幅に応じて変更することができ、又、操作ハンドル１５による前輪７の上下方向への位置調節操作で引起装置９の高さ位置を作業対象の畝高さに応じた高さ位置に変更できるようになっている。
【００９１】
図１８〜２１に示すように、引起装置９は、前述の第１実施形態で例示したマルチ仕様のものと同様に、たまねぎＺの栽培条間に応じた所定間隔を左右方向に隔てる状態で機体フレーム１に縦向き後傾姿勢で支持された３つの引起ケース９Ｂ、各引起ケース９Ｂの上端部に縦向きに配備された駆動スプロケット９Ｃ、各引起ケース９Ｂの下端部に縦向きに配備された従動スプロケット９Ｄ、各上下のスプロケット９Ｃ，９Ｄに亘って巻き掛けられた無端チェーン９Ｅ、及び、無端チェーン９Ｅに沿う倒伏姿勢と外方に向けて突出する起立姿勢とに起伏揺動自在に所定ピッチで無端チェーン９Ｅに取り付けられた複数の爪受け具９Ｆ、などによって構成されるとともに、右端以外の引起ケース９Ｂに装備される各爪受け具９Ｆには、弾性変形可能なゴムなどの軟質材で形成された軟質の係止爪９Ｈがビス止めされ、又、右端の引起ケース９Ｂに装備される各爪受け具９Ｆには、弾性変形可能なゴムなどの軟質材で係止爪９Ｈよりも長尺に形成された軟質の係止爪９Ｊがビス止めされている。各爪受け具９Ｆには、熱硬化性プラスチックなどの硬質材Ｇが採用されている。この結果、各係止爪９Ｈ，９Ｊによって、マルチフィルムＦを傷付けることなくマルチフィルムＦ上で倒伏した葉茎Ｚａを畝肩などにかかわらず好適に掬い上げることができるとともに、硬質の爪受け具９Ｆが各係止爪９Ｈ，９Ｊ受け止め支持することによって、葉茎Ｚａの重みに負けることなく葉茎Ｚａを好適に引き起こすことができるようになっている。
【００９２】
図１９に示すように、掻込装置１０は、前述した第１実施形態のものと同じ構成であることから、第１実施形態のものと同じ符号を付記することで、その構成についての説明を省略する。
【００９３】
図１８〜２３に示すように、切断装置３８は、所定位置ａに位置するように腰折れフレーム４４に支持された円盤カッタ３８Ｂによって構成されている。腰折れフレーム４４は、ギヤ式変速装置３からの作業用動力が作業クラッチ１９などを介して伝達されるカウンタ軸２０に上下揺動自在に支持された角パイプ状の第１アーム４４Ａ、第１アーム４４Ａの遊端に上下揺動自在に連結された角パイプ状の第２アーム４４Ｂ、及び、第２アーム４４Ｂの遊端に上下揺動自在に連結された角パイプ状の第３アーム４４Ｃ、などによって屈伸自在に構成されるとともに、第３アーム４４Ｃの遊端が、第１連結具４５及び第２連結具４６を介して機体フレーム１にボルト連結されている。第１連結具４５は、くの字状に屈曲形成されるとともに、機体フレーム１との接合部４５Ａには機体フレーム１に対する前後方向への位置調節を可能にするための長孔４５ａが、又、第２連結具４６との接合部４５Ｂには第２連結具４６の上下方向への位置調節を可能にするための長孔４５ｂが形成されている。この構成から、切断装置３８は、前後・上下の各方向に位置調節可能に構成されており、この位置調節によって、組付け誤差などにかかわらず切断装置３８による葉茎Ｚａの切断を所定位置ａにて確実に行わせることができるとともに、鱗茎Ｚｂ側の長さを所望の長さ（例えば、収穫後の鱗茎Ｚｂ側を所定量ずつに束ねて結束する結束作業の行い易い長さなど）に切り揃えられるようになっている。尚、図２０及び図２１における符号４７は、葉茎Ｚａを切断装置３８に向けて案内するように機体フレーム１から切断装置３８に向けて延設されたＵ字状の切断ガイド杆である。
【００９４】
図１８及び図１９に示すように、葉茎搬送装置１２は、前述した第１実施形態のものと同じ構成であることから、第１実施形態のものと同じ符号を付記することで、その構成についての説明を省略するが、第１実施形態のものと同様に左右の駆動プーリ１２Ａの間隔を変更できるように構成されている（図７参照）ことによって、収穫対象の圃場で栽培されたたまねぎＺの葉茎Ｚａの太さや搬送量などに応じて左右の駆動プーリ１２Ａの間隔を変更することで、葉茎搬送装置１２により所定位置ａの葉茎Ｚａを好適に支持することができるとともに切断後の葉茎Ｚａ側を好適に挾持搬送することができるようになり、又、左右の駆動プーリ１２Ａの間隔を変更することにより、切断装置３８が葉茎Ｚａに作用する時点での葉茎搬送装置１２の葉茎支持状態を、葉茎搬送装置１２が葉茎Ｚａを挾持せずに左右から支える状態、葉茎搬送装置１２が葉茎Ｚａを引き上げずに挾持する状態、あるいは、葉茎搬送装置１２が葉茎Ｚａを引き上げ気味に挾持する状態、などの種々の状態に、収穫するたまねぎＺの種類や生育状態などに応じて調節できるようになっている。
【００９５】
葉茎搬送装置１２における右側の従動プーリ１２Ｂの下方には、その従動プーリ１２Ｂと一体回転する突起付き回転体１２Ｇが装備されるとともに、左側の固定フレーム１２Ｄからは、突起付き回転体１２Ｇに沿って右外側方に向かう排出ガイド１２Ｈが延設されており、これによって、葉茎搬送装置１２で挾持搬送された葉茎Ｚａ側が機体右側の畝間に投下されるようになっている。
【００９６】
図１８、図２０及び図２１に示すように、土崩し具３９は、進行方向右側の畝際から鱗茎Ｚｂの下方の土壌に入り込んで右側２条分の鱗茎Ｚｂの周辺の土を切り崩すＬ字状に形成されている。又、土崩し具３９は、機体フレーム１の右側部に横軸芯Ｐ３周りに揺動自在に支持されるとともに、ギヤ式変速装置３からの作業用動力によって横軸芯Ｐ３周りで前後方向に往復揺動駆動されるようになっている。この構成から、土崩し具３９によって、２条分の鱗茎Ｚｂの周辺の土を容易かつ円滑に切り崩すことができる上に、鱗茎Ｚｂ側を好適に掘り起こすことができるようになり、もって、作業走行終了後に手作業で行われる鱗茎Ｚｂ側の回収を容易に行えるようになっている。
【００９７】
土崩し具３９の前方には、走行機体Ａが跨ぐ畝におけるマルチフィルムＦの横一側端が存在する右側の畝際の土に切り込むことで、作業走行に支障のない程度にマルチフィルムＦの右側端を畝際から浮かせるＬ字状の土切り具４２が配設されている。この土切り具４２は、機体フレーム１の右側部に横軸芯Ｐ４周りに揺動自在に支持されるとともに、ギヤ式変速装置３からの作業用動力によって横軸芯Ｐ４周りで前後方向に往復揺動駆動されるようになっている。この構成から、マルチフィルムＦの右側端を畝際から好適に浮かせることができるようになり、もって、作業走行終了後に手作業又はマルチ剥ぎ装置で行われるマルチフィルムＦの剥ぎ取りを容易に行えるようになっている。又、土崩し具３９の前方に土切り具４２を配設していることによって、土崩し具３９は、マルチフィルムＦが浮き上がって土切り具４２が切り込んだ畝際部分から鱗茎Ｚｂの下方の土壌に入り込むようになることから、土崩し具３９が、単独でマルチフィルムＦの横一側端が存在する右側の畝際の土に切り込みながら２条分の鱗茎Ｚｂの周辺の土を切り崩す場合に比較して、土崩し具３９などへのマルチフィルムＦの巻き付きを防止できるとともに、２条分の鱗茎Ｚｂの周辺の土を抵抗少なく円滑に切り崩すことができるようになっている。
【００９８】
図１８〜２３に示すように、引起装置９は、カウンタ軸２０に伝達された作業用動力が、前後向きの第１軸伝動部２３や左右向きの第２軸伝動部２４などを介して各駆動スプロケット９Ｃに伝達されることで作動するようになっている。葉茎搬送装置１２は、カウンタ軸２０に伝達された作業用動力が、ウォーム式伝動部２５や伝動チェーン２６などを介して左右の駆動プーリ１２Ａに伝達されることで作動するようになっている。ちなみに、葉茎搬送装置１２の左側の駆動プーリ１２Ａは、伝動チェーン２６が腹面掛けされた正転ギヤ２７に伝動連結され、又、葉茎搬送装置１２の右側の駆動プーリ１２Ａは、伝動チェーン２６が背面掛けされた逆転ギヤ２８に伝動連結されており、これによって、左右の無端ベルト１２Ｃが後方に向けて挾持搬送駆動されるようになっている。掻込装置１０は、葉茎搬送装置１２の左右の従動プーリ１２Ｂから取り出された作業用動力が、左右の伝動チェーン２９などを介して左右の駆動プーリ１０Ａに伝達されることで作動するようになっている。切断装置３８は、カウンタ軸２０に伝達された作業用動力が、第１アーム４４Ａに内装された第１伝動チェーン４８、第２アーム４４Ｂに内装された第２伝動チェーン４９、第３アーム４４Ｃに内装された第３伝動チェーン５０、及び、第３伝動チェーン５０に伝動連結されたベベルギヤ式伝動部５１、などを介して円盤カッタ３８Ｂに伝達されることで作動するようになっている。土切り具４２は、カウンタ軸２０に伝達された作業用動力が、偏芯カム３６や操作ロッド３７などを介して伝達されることで作動するようになっている。土崩し具３９は、土切り具４２に伝達された作業用動力が連係ロッド４３を介して伝達されることで作動するようになっており、カウンタ軸２０から土崩し具３９に亘る専用の駆動系を新たに設ける場合に比較して、伝動構造の簡素化を図れるようになっている。
【００９９】
〔別実施形態〕
以下、本発明の別実施形態を列記する。
〔１〕  たまねぎ収穫機としては、乗用型の走行機体Ａに、引起装置９、掻込装置１０、切断装置３８、葉茎搬送装置１２、及び、土崩し具３９、などを装備して汎用型又はマルチ専用型に構成したものであってもよい。
〔２〕  前述の第１実施形態及び第２実施形態では、１条の畝に対する往復２工程の作業走行で、その畝で栽培される全条のたまねぎＺを回収可能な状態にするように構成したたまねぎ収穫機を例示したが、たまねぎ収穫機としては、１条の畝に対する往路１工程のみの作業走行で、その畝で栽培される全条のたまねぎＺを回収可能な状態にするように構成したものであってもよい。
〔３〕  前述の第１実施形態及び第２実施形態では、１条の畝に対する往復２工程の各作業走行ごとに、進行方向右側２条のたまねぎＺに対して作用するたまねぎ収穫機を例示したが、たまねぎ収穫機としては、１条の畝に対する往復２工程の各作業走行ごとに、進行方向左側２条のたまねぎＺに対して作用するように構成したものであってもよい。
〔４〕  前述の第１実施形態で例示した汎用型のたまねぎ収穫機においては、分草具９Ｇ、切断装置３８、土ほぐし具１１、土崩し具３９、及び、土切り具４２の着脱による作用状態と非作用状態との切り換えで露地仕様とマルチ仕様とに仕様変更するように構成したが、分草具９Ｇ、切断装置３８、土ほぐし具１１、土崩し具３９、及び、土切り具４２の作用姿勢と退避姿勢との姿勢変更による作用状態と非作用状態との切り換えで露地仕様とマルチ仕様とに仕様変更するように構成してもよい。
〔５〕  前述の第１実施形態では、汎用型のたまねぎ収穫機を露地仕様とマルチ仕様とに仕様変更する際に、引起装置９において、硬質の係止爪９Ａと軟質の係止爪９Ｈ，９Ｊとの付け替えを行うようにしたが、硬質の係止爪９Ａを備えた引起装置９の全体と軟質の係止爪９Ｈ，９Ｊを備えた引起装置９の全体を付け替えるようにしてもよい。
〔６〕  前述の第１実施形態で例示したマルチ仕様の汎用型のたまねぎ収穫機及び第２実施形態で例示したマルチ専用型のたまねぎ収穫機では、引起装置９における右端の引起ケース９Ｂに、それ以外の引起ケース９Ｂに装備される係止爪９Ｈよりも長尺の係止爪９Ｊを装備することによって、マルチフィルムＦ上の畝肩で倒伏した葉茎Ｚａをも好適に掬い上げられるように構成したが、図２４に示すように、引起装置９における右端の引起ケース９Ｂにも、それ以外の引起ケース９Ｂに装備される係止爪９Ｈと同じ長さのもを採用しながらも、その分、右端の引起ケース９Ｂをそれ以外の引起ケース９Ｂよりも下方に長く延出することによって、マルチフィルムＦ上の畝肩で倒伏した葉茎Ｚａをも好適に掬い上げられるように構成してもよい。
〔７〕  図２５の（イ），（ロ）に示すように、土崩し具３９として、進行方向右側の畝際から鱗茎Ｚｂの下方の土壌に浅く入り込んで右端の鱗茎Ｚｂの周辺の土を切り崩すＬ字状の第１土崩し具３９Ａと、この第１土崩し具３９Ａが切り込んだ土壌部分から鱗茎Ｚｂの下方の土壌に深く入り込んで右端から２列目の鱗茎Ｚｂの周辺の土を切り崩すＬ字状の第２土崩し具３９Ｂとからなる２連式のものを採用するとともに、土切り具４２に代えて、切断装置３８よりも後方の位置でマルチフィルムＦの左右中間部を進行方向に沿って切断するマルチカッタ５２を採用するようにしてもよい。又、図示は省略するが、土崩し具３９として単一のＬ字状のものを採用しながら、土切り具４２に代えてマルチカッタ５２を採用するようにしてもよい。ちなみに、この構成を１条の畝に対して往復２工程の作業走行を行うたまねぎ収穫機に採用する場合には、往路工程の作業走行時にマルチカッタ５２でマルチフィルムＦを切断してしまうと、マルチフィルムＦが復路工程での作業走行時に機体側に絡み付く不都合が生じ易くなることから、同図に示すように、マルチカッタ５２を作用姿勢と退避姿勢とに姿勢切り換え可能に構成し、復路工程の作業走行時にのみマルチカッタ５２を作用させるようにして、上記の不都合を回避するようにしてもよい。尚、この別実施形態では、第１土崩し具３９Ａに操作ロッド３７を連結し、第１土崩し具３９Ａと第２土崩し具３９Ｂとを連係ロッド５３を介して連動連結することで、第１土崩し具３９Ａと第２土崩し具３９Ｂとを、ギヤ式変速装置３からの作業用動力で前後揺動駆動させるようにしている。
〔８〕  図２６の（イ），（ロ）に示すように、土切り具４２に代えて、切断装置３８よりも後方の位置でマルチフィルムＦの左右中間部を進行方向に沿って切断するマルチカッタ５２を採用するとともに、土崩し具３９として、マルチカッタ５２によるマルチフィルムＦの切断部から土中に突入して４条分の鱗茎Ｚｂの周辺の土を一挙に切り崩すＴ字状のもの採用するようにしてもよい。ちなみに、この構成を１条の畝に対して往復２工程の作業走行を行うたまねぎ収穫機に採用する場合には、往路工程の作業走行時に、マルチカッタ５２でマルチフィルムＦを切断し、土崩し具３９が４条分の鱗茎Ｚｂの周辺の土を一挙に切り崩してしまうと、復路工程の作業走行時に、マルチフィルムＦが機体側に絡み付く不都合が生じ易くなるとともに、鱗茎Ｚｂの浮き上がりや傾倒によって切断装置３８による葉茎Ｚａの鱗茎Ｚｂからの所望長さでの切断が行われ難くなることから、同図に示すように、マルチカッタ５２及び土崩し具３９を作用姿勢と退避姿勢とに姿勢切り換え可能に構成し、復路工程の作業走行時にのみマルチカッタ５２及び土崩し具３９を作用させるようにして、上記の不都合を回避するようにしてもよい。又、汎用型のたまねぎ収穫機においてマルチカッタ５２及び土崩し具３９を姿勢切り換え可能に構成した場合には、露地仕様とマルチ仕様とに仕様変更する際にそれらを着脱する必要がなくなることから、その仕様変更を容易に行えるようになる。尚、この別実施形態では、土崩し具３９及びマルチカッタ５２を、偏芯カム５４及び操作ロッド５５を介してカウンタ軸２０に伝動連結することで、ギヤ式変速装置３からの作業用動力で横軸芯Ｐ５周りに前後揺動駆動させるようにしている。
〔９〕  図２６の（イ），（ロ）に示すように、土崩し具３９に鱗茎を持ち上げるレーキ状の持上げ具５６を装備して、作業走行終了後に手作業で行われる鱗茎Ｚｂ側の回収をより一層容易に行えるようにしてもよい。尚、図２６の（イ），（ロ）においては、Ｔ字状の土崩し具３９に持上げ具５６を装備した形態を例示したが、前述の第１実施形態及び第２実施形態で例示したＬ字状の土崩し具３９に持上げ具５６を装備するようにしてもよい。
〔１０〕  図２７に示すように、マルチフィルムＦの横一側端が存在する畝際の土に切り込むＬ字状の土切り具４２の後方に、土切り具４２の作用によりマルチフィルムＦが浮き上がって切り込まれた畝際部分から鱗茎Ｚｂの下方の土壌に浅く入り込んで右端の鱗茎Ｚｂの周辺の土を切り崩すＬ字状の第１土崩し具３９Ａと、この第１土崩し具３９Ａが切り込んだ土壌部分から鱗茎Ｚｂの下方の土壌に深く入り込んで右端から２列目の鱗茎Ｚｂの周辺の土を切り崩すＬ字状の第２土崩し具３９Ｂとから構成された土崩し具３９を配備するようにしてもよい。尚、この別実施形態では、土切り具４２に操作ロッド３７を連結し、この土切り具４２に連係ロッド（図示せず）を介して第１土崩し具３９Ａ及び第２土崩し具３９Ｂを連動連結することで、土切り具４２、第１土崩し具３９Ａ、及び、第２土崩し具３９Ｂを、ギヤ式変速装置３からの作業用動力で前後揺動駆動させるようにしている。
〔１１〕  Ｌ字状の土切り具４２に代えてＩ字状のものを採用するようにしてもよい。
〔１２〕  図２８に示すように、切断装置３８としては、機体フレーム１に支持された固定刃３８Ｃに対する可動刃３８Ｄの左右摺動駆動で葉茎Ｚａを切断する切断性能に優れたバリカン型のものを採用するようにしてもよい。ちなみに、第１実施形態で例示した汎用型のたまねぎ収穫機にバリカン型の切断装置３８を採用する場合には、同図に示すように、マルチ仕様時には使用されない左側の土崩し具３９の駆動系である天秤アーム１７と切断装置３８のクランクアーム３８Ｅとを連係ロッド５７を介して連動連結するようにすれば、土崩し具３９の駆動系を有効利用して切断装置３８を駆動することができるようになり、もって、伝動構造の簡素化を図れるようになる。又、位置揃え搬送装置１３の一方の駆動プーリ１３Ａと一体回転する偏芯カム（図示せず）を介して可動刃３８Ｄを左右摺動駆動させるように構成すれば、伝動構造の簡素化を図りながら切断装置３８を駆動させることができるようになる。一方、第２実施形態で例示したマルチ専用型のたまねぎ収穫機にバリカン型の切断装置３８を採用する場合には、土崩し具３９などの駆動系である天秤アーム１７に切断装置３８のクランクアーム３８Ｅを連係ロッド（図示せず）を介して連動連結するようにすれば、伝動構造の簡素化を図りながら切断装置３８を駆動させることができるようになる。尚、図２８に示す構成のものにおいては、左側の土崩し具３９の駆動系である操作ロッド３７と切断装置３８のクランクアーム３８Ｅとを連動連結するようにすれば、伝動構造の簡素化をより効果的に図れるようになる。
【図面の簡単な説明】
【図１】汎用型たまねぎ収穫機の露地仕様での構成を示す全体側面図
【図２】汎用型たまねぎ収穫機の露地仕様での構成を示す全体平面図
【図３】汎用型たまねぎ収穫機の露地仕様での構成を示す全体正面図
【図４】汎用型たまねぎ収穫機の露地仕様での構成を示す概略全体側面図
【図５】汎用型たまねぎ収穫機の露地仕様での構成を示す概略平面図
【図６】汎用型たまねぎ収穫機の露地仕様での構成を示す概略正面図
【図７】葉茎搬送装置の構成を示す正面図
【図８】位置揃え搬送装置の構成を示す平面図
【図９】葉切装置の構成を示す斜視図
【図１０】葉切装置の構成を示す縦断側面図
【図１１】汎用型たまねぎ収穫機の伝動系を示す図
【図１２】汎用型たまねぎ収穫機のマルチ仕様での構成を示す概略全体側面図
【図１３】汎用型たまねぎ収穫機のマルチ仕様での構成を示す概略平面図
【図１４】汎用型たまねぎ収穫機のマルチ仕様での構成を示す概略正面図
【図１５】土切り具と土崩し具の配置及び駆動系を示す要部の側面図
【図１６】硬質の係止爪と軟質の係止爪との付け替え構造を示す要部の斜視図
【図１７】硬質の係止爪と軟質で長尺の係止爪との付け替え構造を示す要部の斜視図
【図１８】マルチ専用型たまねぎ収穫機の構成を示す全体側面図
【図１９】マルチ専用型たまねぎ収穫機の構成を示す概略全体側面図
【図２０】マルチ専用型たまねぎ収穫機の構成を示す概略平面図
【図２１】マルチ専用型たまねぎ収穫機の構成を示す概略正面図
【図２２】マルチ専用型たまねぎ収穫機での切断装置の構成を示す斜視図
【図２３】マルチ専用型たまねぎ収穫機の伝動系を示す図
【図２４】引起ケースを長尺にした別実施形態を示す引起装置の正面図
【図２５】（イ）２連式の土崩し具とマルチカッタとを備えた別実施形態を示す概略側面図（ロ）２連式の土崩し具とマルチカッタとを備えた別実施形態を示す概略平面図
【図２６】（イ）Ｔ字状の土崩し具とマルチカッタと持上げ具とを備えた別実施形態を示す概略側面図
（ロ）Ｔ字状の土崩し具とマルチカッタと持上げ具とを備えた別実施形態を示す概略正面図
【図２７】土切り具の後方に２連式の土崩し具を配設した別実施形態を示す概略平面図
【図２８】バリカン型の切断装置を採用した別実施形態を示す概略平面図
【符号の説明】
Ａ      走行機体
Ｆ      マルチフィルム
Ｚ      たまねぎ
Ｚａ    葉茎
Ｚｂ    鱗茎
ａ      所定位置
９      引起装置
９Ａ    硬質の係止爪
９Ｈ    軟質の係止爪
９Ｊ    軟質の係止爪
１０    掻込装置
１０ａ  係止爪
１２    葉茎搬送装置
１２Ａ  回転体
１２Ｃ  無端回動帯
１３    位置揃え搬送装置
１３Ａ  回転体
１４    葉切装置
３８    切断装置
３９    土崩し具
３９Ａ  第１土崩し具
３９Ｂ  第２土崩し具
４２    土切り具
５２    マルチカッタ
５６    持上げ具
【図１】
0003578668.tif 000002
【図２】
0003578668.tif 000003
【図３】
0003578668.tif 000004
【図４】
0003578668.tif 000005
【図５】
0003578668.tif 000006
【図６】
0003578668.tif 000007
【図７】
0003578668.tif 000008
【図８】
0003578668.tif 000009
【図９】
0003578668.tif 000010
【図１０】
0003578668.tif 000011
【図１１】
0003578668.tif 000012
【図１２】
0003578668.tif 000013
【図１３】
0003578668.tif 000014
【図１４】
0003578668.tif 000015
【図１５】
0003578668.tif 000016
【図１６】
0003578668.tif 000017
【図１７】
0003578668.tif 000018
【図１８】
0003578668.tif 000019
【図１９】
0003578668.tif 000020
【図２０】
0003578668.tif 000021
【図２１】
0003578668.tif 000022
【図２２】
0003578668.tif 000023
【図２３】
0003578668.tif 000024
【図２４】
0003578668.tif 000025
【図２５】
0003578668.tif 000026
【図２６】
0003578668.tif 000027
【図２７】
0003578668.tif 000028
【図２８】
0003578668.tif 000029